(57)【要約】  【課題】  複数のユーザが同一のディスプレイ画面を共有し、個別または共同のグラフィカルユーザインタフェース操作を行うことを可能にする。  【解決手段】  情報処理部３０３を有するタッチパネルディスプレイ１０３において、画面に複数のユーザの管理下に置かれるウィンドウ１０６を表示するようにして、ウィンドウ以外の領域を共有領域とする。マルチウィンドウ表示を行って、情報処理部３０３によりウィンドウごとに管理権限を認識させてユーザを識別し、ユーザごとのＧＵＩ操作を実行可能とする。【選択図】        図３
2006065558.tif 000002
【特許請求の範囲】
【請求項１】
入力された情報を処理する情報処理部と、
上記情報処理部と接続されているとともに、複数のウィンドウを表示可能に構成されたディスプレイとを有し、
上記ディスプレイに表示された複数のウィンドウに関して、それぞれのウィンドウごとで独立して、上記情報処理部により管理権限を識別するように構成されている
ことを特徴とする入力表示装置。
【請求項２】
情報データを記憶可能に構成された記憶部を有し、
上記情報処理部により識別された管理権限ごとに、上記記憶部に記憶された情報データに対するアクセスの管理を実行可能に構成されている
ことを特徴とする請求項１記載の入力表示装置。
【請求項３】
ネットワーク接続可能なインターフェースを有し、
上記情報処理部によって識別された管理権限ごとに、上記インターフェースを介したネットワークへのアクセス権限の管理を実行可能に構成されている
ことを特徴とする請求項１記載の入力表示装置。
【請求項４】
グラフィカルユーザインタフェース操作可能に構成され、
上記ウィンドウの内側から開始されたグラフィカルユーザインタフェース操作を、上記情報処理部により識別された管理権限に基づく、上記ウィンドウの内側に存在するオブジェクトに対する操作として認識するように構成されている
ことを特徴とする請求項１記載の入力表示装置。
【請求項５】
上記ディスプレイが、上記ディスプレイに対する少なくとも１つのポインティング指示を検出可能に構成され、
上記ポインティング指示の上記ウィンドウの内側から開始されたグラフィカルユーザインタフェース操作が、他のグラフィカルユーザインタフェース操作と、それぞれ独立の連続性を有することを識別可能に構成されている
ことを特徴とする請求項１に記載の入力表示装置。
【請求項６】
上記情報処理部により、上記ディスプレイに入力可能なキーボードを表示可能に構成され、
上記表示されたキーボードに関連付けさせて、上記情報処理部により、上記ディスプレイに入力可能なテキスト挿入ポイントを表示可能に構成されている
ことを特徴とする請求項１記載の入力表示装置。
【請求項７】
上記テキスト挿入ポイントが、それぞれ、色、図形、番号、または記号に基づいて、区別して表示される
ことを特徴とする請求項６記載の入力表示装置。
【請求項８】
上記テキスト挿入ポイントを、上記関連付けされたキーボードに対する入力操作に基づく、上記情報処理手段により消去可能に構成されている
ことを特徴とする請求項７記載の入力表示装置。
【請求項９】
時間を計測する計時部を有し、
上記計時部により一定時間の経過が計測された後に、上記テキスト挿入ポイントをディスプレイから消去するように構成されている
ことを特徴とする請求項７記載の入力表示装置。
【請求項１０】
上記ディスプレイにおける表示画面に対する入力に基づいて、上記情報処理部により、上記ディスプレイに、上記入力に関連付けされた管理権限下のウィンドウを表示可能に構成されている
ことを特徴とする請求項１記載の入力表示装置。
【発明の詳細な説明】
【技術分野】
【０００１】
この発明は、入力表示装置に関し、特に、複数のユーザが同一のディスプレイ画面を共有し、共通の情報に対して検討や検証を行う、入力インターフェースを備えたディスプレイに適用して好適なものである。
【背景技術】
【０００２】
近年、大画面ディスプレイに情報を表示して、複数のユーザが共通の情報に対して検討や検証などにおいて、コラボレーション（協調作業）を行うことが可能になってきている。
【０００３】
たとえば、特許文献１においては、複数のユーザのコンピュータからの映像情報を大型ディスプレイで共有するとともに、各ユーザのコンピュータ上でもこれらの映像情報を共有する協調作業支援用電子会議システムの技術が開示されている。
【０００４】
ところが、特許文献１に記載された技術においては、ユーザは、それぞれのコンピュータを操作することにより、それぞれのコンピュータ空間において情報を表示させている。そして、ユーザは、互いに他のユーザのコンピュータ空間上に表示されている情報に対して操作や編集・加筆をすることができない。これにより、コラボレーションの効果は限定的なものにとどまっていた。
【０００５】
また、特許文献２には、それぞれのユーザのコンピュータから大型ディスプレイの表示を制御し、オーバーレイ効果を利用してコラボレーションの効果を高める技術が開示されている。ところが、特許文献２に記載された例においても、それぞれのユーザの管理に関する情報を編集したり、加筆したりすることができる程度のコラボレーションは、実現されていない。
【０００６】
また、特許文献３には、複数のウィンドウを表示し、複数の入力デバイスを備え、上記複数のウィンドウのそれぞれに対応する入力デバイスで別々に入力操作することを特徴としたマルチウィンドウ型コンピュータシステムの技術が開示されている。ところが、この特許文献３に記載された例においても、複数のユーザのそれぞれの管理にかかわるコンピュータ空間を表示する技術は開示されていない。
【特許文献１】特開平０８−０７９７２６号公報
【特許文献２】特開平１１−３０８５９２号公報
【特許文献３】特開平０７−１４１１４０号公報
【発明の開示】
【発明が解決しようとする課題】
【０００７】
従来、コンピュータの情報を表示し、ユーザに操作を行わせるディスプレイとしては、一つのディスプレイを一人のユーザが使用するのが通例である。そして、このユーザに操作を行わせるディスプレイとしては、ユーザ認証画面を表示してユーザを識別し、ユーザごとの情報へのアクセス管理を行う場合、一つのディスプレイを用いると、一人のユーザの管理にかかわる情報を表示することしかできない。
【０００８】
そのため、ディスプレイに情報を表示し複数のユーザが検討や検証などコラボレーションを行う場合には、表示される情報をあらかじめ特定のユーザの管理下に置き、ディスプレイのユーザ認証画面において、特定ユーザが識別されるように入力や設定を行い、その情報にアクセス可能とする方法を採用するか、または特許文献２に開示されたように、それぞれのユーザが、コラボレーションを行うためのディスプレイと別に、それぞれ表示装置やポインティングデバイスなどの入力装置を備えたコンピュータを操作することによって、それぞれの管理に関する情報を操作する必要があった。
【０００９】
したがって、この発明の目的は、複数のユーザが同一のディスプレイ画面を共有しつつ、個別または共同のグラフィカルユーザインタフェース操作を行うことができる入力表示装置を提供することにある。
【００１０】
また、この発明のさらなる目的は、それぞれのユーザがその管理下にある情報に随時アクセスして、他のユーザによる編集を実行できるようにディスプレイ上に表示したり、メール管理などのユーザ個人の管理にかかわる情報処理を、同一ディスプレイ上で、随時実行することができる入力表示装置を提供することにある。
【課題を解決するための手段】
【００１１】
上記目的を達成するために、この発明は、
入力された情報を処理する情報処理部と、
情報処理部と接続されているとともに、複数のウィンドウを表示可能に構成されたディスプレイとを有し、
ディスプレイに表示された複数のウィンドウに関して、それぞれのウィンドウごとで独立して、情報処理部により管理権限を識別するように構成されている
ことを特徴とする入力表示装置である。
【００１２】
この発明において、典型的には、情報データを記憶可能に構成された記憶部を有し、情報処理部により識別された管理権限ごとに、記憶部に記憶された情報データに対するアクセスの管理を実行可能に構成されている。
【００１３】
この発明において、典型的には、ネットワーク接続可能なインターフェースを有し、情報処理部によって識別された管理権限ごとに、インターフェースを介したネットワークへのアクセス権限の管理を実行可能に構成されている。
【００１４】
この発明において、典型的には、グラフィカルユーザインタフェース操作可能に構成され、ウィンドウの内側から開始されたグラフィカルユーザインタフェース操作を、情報処理部により識別された管理権限に基づく、ウィンドウの内側に存在するオブジェクトに対する操作として認識するように構成されている。
【００１５】
この発明において、典型的には、ディスプレイが、ディスプレイに対する少なくとも１つのポインティング指示を検出可能に構成され、ポインティング指示のウィンドウの内側から開始されたグラフィカルユーザインタフェース操作が、他のグラフィカルユーザインタフェース操作と、それぞれ独立の連続性を有することを識別可能に構成されている。
【００１６】
この発明において、典型的には、情報処理部により、ディスプレイに入力可能なキーボードを表示するように構成され、表示されたキーボードに関連付けさせて、情報処理部により、ディスプレイに入力可能なテキスト挿入ポイントを表示可能に構成されている。また、典型的には、テキスト挿入ポイントは、それぞれ、色、図形、番号、または記号に基づいて、区別して表示され、好適には、テキスト挿入ポイントを、関連付けされたキーボードに対する入力操作に基づく、情報処理手段により消去可能に構成されている。また、典型的には、時間を計測する計時部を有し、計時部により一定時間の経過が計測された後に、テキスト挿入ポイントをディスプレイから消去するように構成されている。
【００１７】
この発明において、典型的には、ディスプレイにおける表示画面に対する入力に基づい
て、情報処理部により、ディスプレイに、入力に関連付けされた管理権限下のウィンドウを表示可能に構成されている。
【発明の効果】
【００１８】
以上説明したように、この発明によれば、複数のユーザが同一のディスプレイ画面を共有し、複数のユーザの管理権限を区別して、個別または共同のグラフィカルユーザインタフェース操作を行うことが可能となる。
【００１９】
また、この発明によれば、それぞれのユーザがその管理下にある情報に随時アクセスして、他のユーザにとっても編集・加筆が可能となるようにディスプレイ上に表示させることができるとともに、同一ディスプレイ上でネットワーク管理などユーザ個人の管理権限に関わる情報処理を、随時行うことができる。
【発明を実施するための最良の形態】
【００２０】
以下、この発明の一実施形態による入力表示装置について図面を参照しながら説明する。なお、以下の一実施形態の全図においては、同一または対応する部分には同一の符号を付す。図１に、この一実施形態による入力表示装置の一例としてのディスプレイシステムの使用形態を示す。
【００２１】
図１に示すように、この一実施形態によるディスプレイシステム１０１は、画面１０２（タッチパネルディスプレイ１０３）および支持機構１０４を有して構成されている。
【００２２】
画面１０２は、共有情報１０５やウィンドウ１０６を表示可能に構成されている。この一実施形態によるディスプレイシステムにおいては、それぞれのウィンドウ１０６が、いずれのユーザに管理されているかが、識別可能となるように構成されている。また、それぞれのウィンドウ１０６は、ユーザの識別認証を経て、生成されたものである。このユーザの識別認証を経て作成されたウィンドウの内側に、アクセス制御機能が付加されたコンピュータ環境内部のユーザ管理に関するコンピュータ空間が表示される。
【００２３】
ここで、アクセス制御機能とは、ネットワークに接続しているコンピュータの利用を自動的に制御するために、この利用に関わるアクセス管理者によって、当該コンピュータまたは当該コンピュータにネットワークを介して接続された他のコンピュータに付加されている機能である。
【００２４】
さらに、この一実施形態によるディスプレイシステムにおけるアクセス制御機能とは、当該利用しようとするユーザにより当該機能を有するコンピュータに入力された符号が当該利用に係る識別符号（識別符号を用いて当該アクセス管理者の定める方法により作成される符号と当該識別符号の一部を組み合わせた符号を含む）であることを確認して、当該利用の制限の全部または一部を解除する機能である。
【００２５】
すなわち、まず、ユーザの指示に応じて、ディスプレイシステム１０１内における制御部により、ウィンドウの内側に、たとえばコンピュータファイルが表示される。その後、このコンピュータファイルが、たとえばドラッグおよびドロップなどの方法によって、当該ウィンドウの外側に移動されると、このファイルは、画面１０２上に他のユーザが編集・加筆することも可能な共有情報（コラボレーションの対象）として表示される。
【００２６】
なお、図１に示すディスプレイシステムにおいては、テーブル型の形状を有するが、必ずしもテーブル型に限定されるものではなく、たとえば、通常一般的な立面型ディスプレイを採用することも可能である。
【００２７】
次に、この発明の一実施形態によるディスプレイシステムの画面表示について説明する。図２に、この一実施形態によるディスプレイシステムの画面表示例を示す。図２に示すように、共有情報２０１は、通常のディスプレイシステムに表示される、ファイルやアプリケーションプログラムなどの情報と同様のものである。
【００２８】
また、ウィンドウ２０２は、ユーザの指示により、この発明の一実施形態によるウィンドウごとにユーザを識別する手段をもって、ユーザの識別認証を経て、作成されたものである。このユーザ識別認証を得た後のウィンドウの内側には、通常のディスプレイシステムが表示する画面の全体と同様の画面が表示される。
【００２９】
すなわち、ユーザは、あたかも、それぞれが管理しているコンピュータを持ち込んでいるかのように、自己の管理に関するコンピュータ空間を、他のユーザと共有されたディスプレイ上に表示させることができる。
【００３０】
次に、この一実施形態によるディスプレイシステムの構成について説明する。図３に、この一実施形態によるディスプレイシステム１０１の要部の構成を示す。なお、図３においては、ディスプレイシステム１０１をブロック図により描画しているが、点線内における構成に関しては、ソフトウェアに基づいて、たとえば中央演算処理（ＣＰＵ）などの情報処理装置により実現される作用が、ハードウェア的に描画されている。すなわち、点線内においては、通常のパーソナルコンピュータと同様の構成が採用可能である。なお、情報処理部３０３内の構成をすべてハードウェアにより構成することも可能である。
【００３１】
図３に示すように、このディスプレイシステム１０１は、タッチパネルディスプレイ１０３、ポインティングインターフェース（ポインティングＩ／Ｆ）３０１、および表示インターフェース３０２を有している。そして、タッチパネルディスプレイ１０３が、これらのポインティングＩ／Ｆ３０１および表示Ｉ／Ｆ３０２を介して、情報処理部３０３と接続されている。
【００３２】
情報処理部３０３は、通常のパーソナルコンピュータと同様の構成を採用することが可能である。そして、この情報処理部３０３においては、ウィンドウ管理部３０４、共有情報管理部３０９、第１ユーザコンピュータ空間管理部３１０、第２ユーザコンピュータ空間管理部３１１、……が設けられている。ウィンドウ管理部３０４は、ウィンドウ生成部３０５、ポインティング入力分配部３０６、表示情報合成部３０７およびユーザ認証部３０８を有して構成されている。
【００３３】
以上のように構成されたディスプレイシステム１０１において、タッチパネルディスプレイ１０３に対してポインティング入力が行われると、その入力信号は、ポインティングＩ／Ｆ３０１を通じて、ウィンドウ管理部３０４のポインティング入力分配部３０６に供給される。
【００３４】
このポインティング入力分配部３０６は、入力されたポインティング入力においてポイントされた座標に基づいて、共有情報管理部３０９、第１ユーザコンピュータ空間管理部３１０、第２ユーザコンピュータ空間管理部３１１、……にそれぞれ信号を分配するための回路である。そして、ポインティング入力の信号が供給されたポインティング入力分配部３０６により、ポイントされた座標に基づいて、共有情報管理部３０９、第１ユーザコンピュータ空間管理部３１０、第２ユーザコンピュータ空間管理部３１１、……にそれぞれ信号が分配される。
【００３５】
また、共有情報管理部３０９、第１ユーザコンピュータ空間管理部３１０、および第２ユーザコンピュータ空間管理部３１１……は、それぞれの部分領域を、それぞれ仮想的な
コンピュータ・ディスプレイとみなすことができる。また、それぞれのユーザコンピュータ空間管理部３１０，３１１，……に供給されたポインティング入力に対して、通常のグラフィカルユーザインターフェース（ＧＵＩ）におけると同様の動作が行われる。
【００３６】
また、ユーザの指示に基づいて、第１ユーザコンピュータ空間管理部３１０、第２ユーザコンピュータ空間管理部３１１、……により、ウィンドウ生成部３０５によって生成され、ユーザ認証部３０８により当該ユーザの管理になるコンピュータ空間に対応するものとして認識されたものである。
【００３７】
共有情報管理部３０９、第１ユーザコンピュータ空間管理部３１０、第２ユーザコンピュータ空間管理部３１１、……の画面情報は表示情報合成部３０７で、タッチパネルディスプレイ１０３上におけるそれぞれの対応するウィンドウ（共有情報管理部３０９の場合にあっては、タッチパネルディスプレイ１０３の画面全体）の内側に位置するように合成される。この合成された画像情報は、表示Ｉ／Ｆ３０２を介して、タッチパネルディスプレイ１０３に表示される。
【００３８】
図４に、ユーザによる操作・指示と関連された、この一実施形態による画面１０２上の画面遷移を示す。図４に示すように、符号４０１のウィンドウにおいて、ユーザにより所定の操作、たとえば画面上のオブジェクトのない領域（ブランク領域）が一定時間以上押下されると、ディスプレイシステムによりメニュー４０１１が表示される。
【００３９】
ユーザがメニュー４０１１上の項目「新規作成」にポインタをスライドさせると、さらにサブメニュー４０１２が表示される。そして、ユーザによりサブメニュー４０１２上の項目「新規ユーザウィンドウ」が選択されると、ウィンドウ生成部３０５により、符号４０２の領域において、ポイント位置の近傍にウィンドウ４０２１が生成され、表示される。
【００４０】
ウィンドウ４０２１内には、ユーザ識別・認証画面４０２２が表示される。そして、符号４０３において、ユーザにより、たとえばソフトキーボード４０３３などの入力可能な表示に対して、ユーザ識別情報がユーザ識別・認証画面４０２２上に入力されると、ユーザ認証部３０８が認証され、当該ユーザの管理に関するコンピュータ空間４０３２がウィンドウ４０３１内に表示される。
【００４１】
コンピュータ空間４０３２は、当該ユーザがログインしたコンピュータが参照するものと同様のコンピュータ空間である。このコンピュータ空間においては、ユーザは、あたかもそれぞれの管理権限の下に、コンピュータを持ち込んでいるように、それぞれの管理権限の下に置かれるコンピュータファイルなどの情報を表示させて操作したり使用したりすることができる。
【００４２】
また、ウィンドウ４０３１には、ウィンドウ移動操作部４０３３、ウィンドウ拡大縮小操作部４０３４、ウィンドウ回転操作部４０３５およびウィンドウ消去操作部４０３６が備えられ、ユーザにとっては、これらの操作部によって、ウィンドウの移動、拡大縮小、回転および消去を指示することが可能となる。
【００４３】
符号４０３の領域においてユーザがウィンドウ４０３１内に表示されているオブジェクト４０３７をウィンドウ４０３１の外であって、他のどのウィンドウの内側でもない領域に、移動させ、ドラッグしドロップすると、当該オブジェクトに対応する情報は共有情報となり、他のユーザの管理権限下においても、編集したり加筆したりすることが可能であるように、ディスプレイ上に表示される。
【００４４】
また、符号４０３の領域において、ユーザが共有情報に対応するオブジェクト４０３８をウィンドウ４０３１内にドラッグしドロップすると、当該情報データは、ユーザの管理権限下のオブジェクトとなり、他のユーザによる変更や削除を免れるように保持し利用することできる。
【００４５】
図５に、この発明によるディスプレイシステムがユーザの指示によりウィンドウを生成し、その内部に当該ユーザの管理に関するコンピュータ空間を表示する判断処理方法を示す。
【００４６】
図５に示すように、ステップＳＴ５０１において、ユーザによりウィンドウ作成が指示されると、ステップＳＴ５０２において、ウィンドウ生成部３０５によりポイント位置の近傍にウィンドウが生成され表示される。続いて、ステップＳＴ５０３において、ディスプレイ上にユーザ識別・認証画面が表示される。
【００４７】
その後、ステップＳＴ５０４に移行して、ユーザによるユーザ識別ＩＤおよびパスワードの入力がなされたことが認識されると、ステップＳＴ５０５に移行して、ユーザ認証部３０８による認証が実行されて、ステップＳＴ５０６において、当該ウィンドウ内に当該ユーザのコンピュータ空間が表示されることになる。
【００４８】
図６および図７に、この発明の一実施形態による操作対象認識手段がユーザ操作の対象を認識し、かつこの発明によるディスプレイシステムがユーザによる操作指示の内容を認識する判断処理の流れを説明するフローチャートを示す。
【００４９】
図６において、この一実施形態によるディスプレイシステムにおいては、まず、ステップＳＴ６０１において、ユーザにより行われたポインティング操作が判定される。そして、ステップＳＴ６０２に移行して、操作開始点が所定の記憶部に記憶される。このステップＳＴ６０２の実行とともに、ステップＳＴ６０３におけるポイント操作に対する表示処理が実行される。
【００５０】
その後、ステップＳＴ６０４に移行して、ユーザによる連続したポインティング操作が終了すると、ステップＳＴ６０５に移行して、ポインティング操作の開始点および終了点が検知される。その後、ステップＳＴ６０６に移行する。
【００５１】
そして、ステップＳＴ６０６において、ポインティング操作の開始点および終了点が同一のユーザウィンドウ内にあるか否かの判定が実行される。この判定の結果、開始点と終了点とがともに同一ユーザウィンドウ内であると判定された場合（ステップＳＴ６０６：ＹＥＳ）には、図７に示すステップＳＴ６０９に移行する。ステップＳＴ６０９においては、このユーザウィンドウを管理下に置いているユーザのコンピュータ空間におけるオブジェクトを対象とした処理が実行される。他方、開始点と終了点とが同一ユーザウィンドウ内ではないと判定された場合（ステップＳＴ６０６：ＮＯ）には、ステップＳＴ６０７に移行する。
【００５２】
ステップＳＴ６０７においては、開始点がユーザウィンドウ内で、かつ終了点がユーザウィンドウ外であるか否かの判定が実行される。この判定の結果、開始点がユーザウィンドウ内かつ終了点がユーザウィンドウ外であると判定された場合（ステップＳＴ６０７：ＹＥＳ）には、図７に示すステップＳＴ６１０に移行する。ステップＳＴ６１０においては、このユーザウィンドウを管理下に置いているユーザのコンピュータ空間上におけるオブジェクトを共有情報とする。他方、開始点がユーザウィンドウ外、または終了点がユーザウィンドウ内であると判定された場合（ステップＳＴ６０７：ＮＯ）には、ステップＳＴ６０８に移行する。
【００５３】
次に、ステップＳＴ６０８においては、開始点がユーザウィンドウ外であり、かつ終了点がユーザウィンドウ内であるか否かの判定が行われる。この判定の結果、開始点がユーザウィンドウ外にあり、かつ終了点がユーザウィンドウ内にある場合（ステップＳＴ６０８：ＹＥＳ）には、図７に示すステップＳＴ６１１に移行して、このユーザウィンドウを管理下に置いているユーザのコンピュータ空間上におけるオブジェクトを共有情報にする。他方、開始点がユーザウィンドウ内、または終了点がユーザウィンドウ外であると判定された場合（ステップＳＴ６０８：ＮＯ）には、図７に示すステップＳＴ６１２に移行して、共有情報を対象として、処理が実行される。
【００５４】
次に、この発明の一実施形態による操作連続性認識処理におけるユーザ操作の連続性を認識する判断処理について説明する。図８に、この判断処理のフローチャートを示す。
【００５５】
この一実施形態によるディスプレイシステムにおいては、好適には、複数のポインティング指示を、同時に検出可能な機構を有する。これにより、複数のユーザによって同時にＧＵＩ操作やＧＵＩ入力が行われた場合に、それらの操作や入力に対応させて、コラボレーション（協調作業）を行うことができるようにする。
【００５６】
しかしながら、この一実施形態においては、ウィンドウ毎にユーザを識別する手段により該ユーザの識別認証を経て作成されたウィンドウは、上述したように、ユーザにとって、あたかも、それぞれの管理になるコンピュータを持ち込んでいるかのように表示されるものであり、その内部に関しては、同時に一つのポインティングのみに対応するように処理されるのが、一層便利である。
【００５７】
たとえば画面上のある一点が指示され、また同時に別の一点が指示されたとき、それがユーザウィンドウ外の領域であって、主にコラボレーションのために使用される領域であれば、この二つのポインティング指示はそれぞれ独立した別の操作と認識すべきである。他方、その指示がユーザウィンドウ内の領域であり、ユーザそれぞれの管理になるコンピュータの表示に擬して使用される領域であれば、二つのポインティング操作は連続していると認識すべきである。上述した操作連続性認識処理は、この判断処理に関するものである。
【００５８】
すなわち、図８に示すように、まずステップＳＴ７０１において、タッチパネルディスプレイ１０３におけるユーザによるポインティング操作の位置が判定される。
【００５９】
そして、このポインティング操作の位置が、ユーザウィンドウ内の領域であれば、ステップＳＴ７０２に移行して、同一のユーザウィンドウ内において、この操作以前にされたポインティング操作と同一のユーザによるＧＵＩ指示と判断されて、このＧＵＩ指示の内容に応じ、それまでのＧＵＩ操作と連続性を有するデータ処理が実行される。
【００６０】
他方、このポインティング操作の位置が、ユーザウィンドウ外の領域であれば、ステップＳＴ７０３に移行して、このポインティング操作より前にユーザウィンドウ外の領域でなされたポインティング操作と独立したＧＵＩ操作が開始されたものと判断されて、このＧＵＩ指示の内容に応じ、他のポインティング操作とは連続しない、すなわち独立したデータ処理が行われる。
【００６１】
次に、テキスト挿入ポイントの入力について説明する。図９に、この一実施形態によるテキスト挿入ポイント生成手段の動作を、画面１０２上の画面遷移に関連して示す。
【００６２】
符号８０１に示す状態において、ユーザにより所定の操作、具体的にたとえば、画面上
のテキスト領域を一定時間以上押下し続けるなどの操作が行われると、ディスプレイにはメニュー８０１１が表示される。
【００６３】
そして、ユーザによりメニュー８０１１上の項目「テキスト挿入ポイント作成」にポインタがスライドされると、さらにサブメニュー８０１２が表示される。また、符号８０２の状態において、ユーザによるサブメニュー８０１２上の項目「ソフトキーボード１」が選択されると、テキスト挿入ポイント生成手段は「ソフトキーボード１」に関連されて、ポイント位置の近傍にテキスト挿入ポイント８０２１が生成され表示される。
【００６４】
テキスト挿入ポイント８０２１は「ソフトキーボード１」に関連して生成されたものであって、そのポイント位置には、ユーザの「ソフトキーボード１」の操作により入力されたテキストだけが挿入され、そのほかの関連付けがされていないソフトキーボードからのテキスト入力は挿入されないようになる。
【００６５】
図９においては、テキスト挿入ポイントが、符号８０２１においては番号８０２２により他のテキスト挿入ポイントと区別され表示されている。これはこの発明の一実施形態において、テキスト挿入ポイントが、それぞれ、色、図形、番号、または記号に基づいて、区別して表示されることによる。これにより、該テキスト挿入ポイントが「ソフトキーボード１」と関連付けられていることがユーザに対して明示される。
【００６６】
次に、このソフトキーボードについて説明する。図１０に、ディスプレイシステムにおいて画面１０２上に表示されるソフトキーボードの一例を示す。
【００６７】
図１０において、符号９０１はソフトキーボード識別名称であり、ユーザに対して、上述したテキスト挿入ポイントと、当該ソフトキーボードとの関連付けを明示するためのものである。
【００６８】
また、符号９０２は、この発明の一実施形態によるポイント表示消去操作処理に関するＧＵＩ操作部位であり、ユーザにより該ＧＵＩ操作部位が操作されると、該ソフトキーボードに関連付けられて生成されたテキスト挿入ポイントが消去されるようになっている。
【００６９】
上述したように、この一実施形態によるディスプレイシステムは、好ましくは同時に複数のポインティング指示を検出する機構を有し、同時に複数のユーザによるＧＵＩ操作・入力に対応しようとするものである。
【００７０】
通常、一般的には、テキスト挿入ポイントは別のテキスト挿入ポイントが設定されることで消去されるが、本ディスプレイシステムでは、異なるソフトキーボードに関連付けられた別のテキスト挿入ポイント生成によっては、テキスト挿入ポイントが消去されない。そのため、場合によりユーザ誤操作の原因となることがあり得る。
【００７１】
そこで、ＧＵＩ操作部位９０２においては、このような誤操作を防止するために、テキスト挿入ポイントをユーザが明示的に消去する処理として提供される。また、この発明の一実施形態による計時ポイント表示消去処理も、同様に誤操作を防ぐために提供されるものである。
【００７２】
次に、テキスト挿入ポイントを一定時間経過後に消去する判断処理の流れについて説明する。図１１に、この発明の一実施形態によるテキスト挿入ポイントが一定時間経過後消去される判断処理のフローチャートを示す。
【００７３】
図１１に示すように、まず、ステップＳ１００１において、テキスト挿入ポイントが生
成されると、ステップＳ１００２に移行して、計時部によって計時（タイマ）が開始される。
【００７４】
次に、ステップＳ１００４において、タイマが所定時間を越えると、ステップＳ１００５に移行して、タイマが停止される。その後、ステップＳ１００６に移行して、上述した計時ポイント表示消去処理により、このテキスト挿入ポイントが消去される。
【００７５】
他方、ステップＳ１００４において、タイマが所定時間を超えていない場合には、ステップＳ１００７に移行する。ユーザによりテキストの挿入や該テキスト挿入ポイントの移動が行われていない場合には、ステップＳ１００４に復帰し、ステップＳ１００４およびステップＳ１００７のいずれかが行われるまで判定が繰り返し継続される。
【００７６】
ステップＳ１００７において、ユーザによりテキストの挿入または該テキスト挿入ポイントの移動が行われると、ステップＳ１００３に復帰して、計時が改めてゼロにリセットされる。
【００７７】
以上のようにして、ソフトキーボードに関連づけされて表示されたテキスト挿入ポイントが、一定時間経過後に消去される。
【００７８】
次に、この発明の一実施形態によるディスプレイシステムにおける画面表示について説明する。図１２に、この発明の一実施形態によるディスプレイシステムの画面表示の一例を示す。
【００７９】
図１２において、符号１１０１は、情報処理によって生成され、画面上に表示され、ユーザの管理権限下のウィンドウである。このウィンドウ１１０１には、タイトルバー１１０２、リサイズボックス１１０３および回転ボックス１１０４などが備えられている。これらの表示は、それぞれ、上述した図４に示すウィンドウ移動操作部４０３３、ウィンドウ拡大縮小操作部４０３４およびウィンドウ回転操作部４０３５と同様のものである。
【００８０】
すなわち、ユーザにより、タイトルバー１１０２がポイントされて、ドラッグされると、ウィンドウ１１０１は、このポインタに追随して位置が変更される。そして、ユーザにより、リサイズボックス１１０３がポイントされドラッグされると、ウィンドウ１１０１はポインタに追随してサイズを変更する。
【００８１】
また、ユーザにより、回転ボックス１１０４がポイントされて、ドラッグされると、ウィンドウ１１０１はポインタに追随して角度を変更可能になっている。
【００８２】
すなわち、ディスプレイ画面上のユーザの指定する大きさにウィンドウを開く任意サイズウィンドウ表示が行われたり、ディスプレイ画面上のユーザの指定する角度にウィンドウを開く任意角度ウィンドウ表示が行われたりする。
【００８３】
以上のようにして、この発明の一実施形態によるディスプレイシステムが構成され、複数のユーザにより、同一のディスプレイを共有して使用することができ、このディスプレイに関して、それぞれ独立して、ウィンドウを生成したり、オブジェクトの内容を変更したり、オブジェクトに対して編集や追加を行うことができる。
【００８４】
以上、この発明の一実施形態について具体的に説明したが、この発明は、上述の一実施形態に限定されるものではなく、この発明の技術的思想に基づく各種の変形が可能である。
【００８５】
例えば、上述の実施形態において挙げたファイルやウィンドウはあくまでも例に過ぎず、必要に応じてこれと異なるファイルやウィンドウを用いてもよい。
【図面の簡単な説明】
【００８６】
【図１】この発明の実施例によるディスプレイシステムの使用形態の一例を説明する図である。
【図２】この発明の一実施形態によるディスプレイシステムの画面表示例を示す図である。
【図３】この発明の一実施形態によるディスプレイシステム要部の概念構成の一例を示すブロック図である。
【図４】この発明の一実施形態による画面上の画面遷移を、ユーザによる操作・指示と関連させて説明するものである。
【図５】この発明によるディスプレイシステムがユーザの指示によりウィンドウを生成しその内部に当該ユーザの管理に関わるコンピュータ空間を表示する判断処理の流れを説明するフローチャートである。
【図６】この発明によるディスプレイシステム操作の対象を認識し、かつこの発明によるディスプレイシステムがユーザによる操作指示の内容を認識する判断処理の流れを説明するフローチャートである。
【図７】図６に続く処理を示すフローチャートである。
【図８】この発明の一実施形態による操作連続性認識手段がユーザ操作の連続性を認識する判断処理の流れを説明するフローチャートである。
【図９】この発明の一実施形態によるテキスト挿入ポイント生成手段の動作を、画面上の画面遷移に関連して説明するための略線図である。
【図１０】この発明によるディスプレイシステムに表示されるソフトキーボードの一例を示す略線図である。
【図１１】この発明の一実施形態による計時ポイント表示消去処理によって、テキスト挿入ポイントを一定時間経過後に消去する判断処理を説明するフローチャートである。
【図１２】この発明の実施例によるディスプレイシステム画面表示例を示す略線図である。
【符号の説明】
【００８７】
１０１ ディスプレイシステム
１０２ 画面
１０３ タッチパネルディスプレイ
１０４ 支持機構
１０５，２０１共有情報
１０６，２０２ウィンドウ
３０１ ポインティングインターフェース
３０２ 表示インターフェース
３０３ 情報処理部
３０４ ウィンドウ管理部
３０５ ウィンドウ生成部
３０６ ポインティング入力分配部
３０７ 表示情報合成部
３０８ ユーザ認証部
３０９ 共有情報管理部
３１０，３１１ユーザコンピュータ空間管理部
【図１】
2006065558.tif 000003
【図２】
2006065558.tif 000004
【図３】
2006065558.tif 000005
【図４】
2006065558.tif 000006
【図５】
2006065558.tif 000007
【図６】
2006065558.tif 000008
【図７】
2006065558.tif 000009
【図８】
2006065558.tif 000010
【図９】
2006065558.tif 000011
【図１０】
2006065558.tif 000012
【図１１】
2006065558.tif 000013
【図１２】
2006065558.tif 000014